(57)【要約】【課題】洗替情報を集約して洗替処理をすることにより、迅速、かつ高いセキュリティを維持した洗替処理をする。【解決手段】本発明に係るクレジットカード洗替代行装置は、カード番号と、洗替情報とを対応付けて保持する洗替情報保持手段と、加盟店の端末装置からカードの洗替情報が要求された場合に、洗替情報が保持されているか否かを判断する洗替情報判断手段と、洗替要求されたカードの洗替情報が保持されていない場合に、洗替情報をカード会社に要求し、得られた洗替情報を洗替情報保持手段に格納する洗替要求手段と、洗替が要求されたカードの洗替情報が洗替情報保持手段に保持されていた場合に、カード会社に対する洗替情報の要求を留保して、保持されていた洗替情報を端末装置に通知する洗替応答手段とを備える。【選択図】図２
2006293503.tif 000002
【特許請求の範囲】
【請求項１】
クレジットカードの利用加盟店から、前記クレジットカードが利用可能であるか否かを示す洗替情報の問い合わせを受け取るクレジットカード洗替代行装置であって、
クレジットカードの番号と、当該クレジットカードが利用可能であるか否かを示す洗替情報とを対応付けて、当該情報を受け取ってから所定の期間のみ保持する洗替情報保持手段と、
利用加盟店が保有する端末装置からクレジットカードの洗替情報が要求された場合に、当該クレジットカードの洗替情報が既に前記洗替情報保持手段に保持されているか否かを判断する洗替情報判断手段と、
洗替が要求されたクレジットカードの洗替情報が前記洗替情報保持手段に保持されていない場合に、前記洗替情報を当該クレジットカードを発行したクレジットカード発行会社に対して要求し、得られた洗替情報を前記洗替情報保持手段に格納する洗替要求手段と、
洗替が要求されたクレジットカードの洗替情報が前記洗替情報保持手段に保持されていた場合に、前記クレジットカード発行会社に対する前記洗替情報の要求を留保して、前記洗替情報保持手段に既に保持されていた前記洗替情報を前記端末装置に通知する洗替応答手段と
を備えるクレジットカード洗替代行装置。
【請求項２】
前記端末装置が洗替を要求したクレジットカードの洗替情報が前記洗替情報保持手段に保持されていない場合に、前記端末装置を識別する識別情報と、前記クレジットカードの番号とを対応付けて格納する問い合わせキューを更に備え、
前記洗替要求手段は、前記端末装置を識別する識別情報を前記クレジットカード発行会社に通知することなく、前記クレジットカードの前記洗替情報を前記クレジットカード発行会社に対して要求し、
前記洗替応答手段は、前記問い合わせキューに格納されているクレジットカードの洗替情報が得られると、当該洗替情報を、前記クレジットカードに対応づけて前記問い合わせキューに格納されている識別情報で識別される前記端末装置に通知する
請求項１に記載のクレジットカード洗替代行装置。
【請求項３】
前記クレジットカード発行会社から前記クレジットカードの利用が禁止されている旨の情報を受け取った場合に、利用が禁止されたクレジットカードの番号と、当該クレジットカードが利用できないことを示す洗替情報とを対応付けて、前記洗替情報保持手段に格納する停止カード保持手段を更に備える
請求項２に記載のクレジットカード洗替代行装置。
【請求項４】
前記停止カード保持手段は、前記利用加盟店と前記クレジットカードの利用契約を直接行ったクレジットカード発行会社であるアクワイアラが、前記利用加盟店に対して、他のクレジットカード発行会社が発行する他のクレジットカードの利用を許可している場合において、前記他のクレジットカード発行会社から前記他のクレジットカードの利用を禁止する旨の情報を受け取ると、利用が禁止された前記他のクレジットカードの番号を保持する
請求項３に記載のクレジットカード洗替代行装置。
【請求項５】
クレジットカードの利用加盟店から、前記クレジットカードが利用可能であるか否かを示す洗替情報の問い合わせを受け取るクレジットカード洗替代行方法であって、
クレジットカードの番号と、当該クレジットカードが利用可能であるか否かを示す洗替情報とを対応付けて、当該情報を受け取ってから所定の期間のみ保持する洗替情報保持ステップと、
利用加盟店が保有する端末装置からクレジットカードの洗替情報が要求された場合に、当該クレジットカードの洗替情報が既に前記洗替情報保持ステップに保持されているか否かを判断する洗替情報判断ステップと、
洗替が要求されたクレジットカードの洗替情報が前記洗替情報保持ステップに保持されていない場合に、前記洗替情報を当該クレジットカードを発行したクレジットカード発行会社に対して要求し、得られた洗替情報を前記洗替情報保持ステップに格納する洗替要求ステップと、
洗替が要求されたクレジットカードの洗替情報が前記洗替情報保持ステップに保持されていた場合に、前記クレジットカード発行会社に対する前記洗替情報の要求を留保して、前記洗替情報保持ステップに既に保持されていた前記洗替情報を前記端末装置に通知する洗替応答ステップと
を備えるクレジットカード洗替代行方法。
【請求項６】
前記端末装置が洗替を要求したクレジットカードの洗替情報が前記洗替情報保持ステップに保持されていない場合に、前記端末装置を識別する識別情報と、前記クレジットカードの番号とを対応付けて格納する問い合わせステップを更に備え、
前記洗替要求ステップは、前記端末装置を識別する識別情報を前記クレジットカード発行会社に通知することなく、前記クレジットカードの前記洗替情報を前記クレジットカード発行会社に対して要求し、
前記洗替応答ステップは、前記問い合わせステップに格納されているクレジットカードの洗替情報が得られると、当該洗替情報を、前記クレジットカードに対応づけて前記問い合わせステップに格納されている識別情報で識別される前記端末装置に通知する
請求項５に記載のクレジットカード洗替代行方法。
【請求項７】
前記クレジットカード発行会社から前記クレジットカードの利用が禁止されている旨の情報を受け取った場合に、利用が禁止されたクレジットカードの番号と、当該クレジットカードが利用できないことを示す洗替情報とを対応付けて、前記洗替情報保持ステップに格納する停止カード保持ステップを更に備える
請求項６に記載のクレジットカード洗替代行方法。
【請求項８】
前記停止カード保持ステップは、前記利用加盟店と前記クレジットカードの利用契約を直接行ったクレジットカード発行会社であるアクワイアラが、前記利用加盟店に対して、他のクレジットカード発行会社が発行する他のクレジットカードの利用を許可している場合において、前記他のクレジットカード発行会社から前記他のクレジットカードの利用を禁止する旨の情報を受け取ると、利用が禁止された前記他のクレジットカードの番号を保持する
請求項７に記載のクレジットカード洗替代行方法。
【発明の詳細な説明】
【技術分野】
【０００１】
本発明は、クレジットカード洗替代行装置及びクレジットカード洗替代行方法に関する。特に、本発明は、クレジットカードの利用加盟店から、クレジットカードが利用可能であるか否かを示す洗替情報の問い合わせを受け取るクレジットカード洗替代行装置、及びクレジットカード洗替代行方法に関する。
【背景技術】
【０００２】
従来、会員の入会時にクレジットカードの有効性をチェックして、承認が取れた会員に対して翌月以降のオンライン与信紹介をせずに、債権譲渡サービスを請け負うシステム、すなわち、クレジットカード番号事前登録によるクレジットカード決済システム（洗替システム）が提案されている。そして、洗替システムにより、クレジットカード会社に提出する売り上げデータの作成等をネットワーク回線等を介して代行する方法が提案されている。
【特許文献１】特開２００１−３１２６７７号公報
【発明の開示】
【発明が解決しようとする課題】
【０００３】
しかしながら、特許文献１に係る発明においては、加盟店は各クレジットカード会社により指定されたデータフォーマットに従って、クレジットカード番号等のクレジットカード会員情報を通信している。したがって、加盟店は各クレジットカード会社に、クレジットカード会社ごとに指定されたデータフォーマットへ変換しなければならず、加盟店に対する負荷が大きいという問題がある。
【０００４】
また、加盟店と契約を締結しているクレジットカード会社は、加盟店又はクレジットカード決済代行業者より送信されたデータから、自社発行のクレジットカード分に限って、会員情報の更新をしている。したがって、加盟店は複数のクレジットカード会社と契約を締結しなければならず、契約手続き等が煩雑であるという問題がある。更には、他社が発行しているクレジットカードに関する会員情報の更新等は、加盟店契約業務を請け負うカード会社であるアクワイアラに集約した後に、紙媒体にて加盟店へ連絡している。したがって、会員情報等の迅速な更新が困難であるという問題がある。
【０００５】
そこで本発明は、上記課題を解決することができるクレジットカード洗替代行装置及びクレジットカード洗替代行方法を提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、クレジットカードの利用加盟店から、クレジットカードが利用可能であるか否かを示す洗替情報の問い合わせを受け取るクレジットカード洗替代行装置であって、クレジットカードの番号と、当該クレジットカードが利用可能であるか否かを示す洗替情報とを対応付けて、当該情報を受け取ってから所定の期間のみ保持する洗替情報保持手段と、利用加盟店が保有する端末装置からクレジットカードの洗替情報が要求された場合に、当該クレジットカードの洗替情報が既に洗替情報保持手段に保持されているか否かを判断する洗替情報判断手段と、洗替が要求されたクレジットカードの洗替情報が洗替情報保持手段に保持されていない場合に、洗替情報を当該クレジットカードを発行したクレジットカード発行会社に対して要求し、得られた洗替情報を洗替情報保持手段に格納する洗替要求手段と、洗替が要求されたクレジットカードの洗替情報が洗替情報保持手段に保持されていた場合に、クレジットカード発行会社に対する洗替情報の要求を留保して、洗替情報保持手段に既に保持されていた洗替情報を端末装置に通知する洗替応答手段とを備える。
【０００７】
また、端末装置が洗替を要求したクレジットカードの洗替情報が洗替情報保持手段に保持されていない場合に、端末装置を識別する識別情報と、クレジットカードの番号とを対応付けて格納する問い合わせキューを更に備え、洗替要求手段は、端末装置を識別する識別情報をクレジットカード発行会社に通知することなく、クレジットカードの洗替情報をクレジットカード発行会社に対して要求し、洗替応答手段は、問い合わせキューに格納されているクレジットカードの洗替情報が得られると、当該洗替情報を、クレジットカードに対応づけて問い合わせキューに格納されている識別情報で識別される端末装置に通知してもよい。
【０００８】
また、クレジットカード発行会社からクレジットカードの利用が禁止されている旨の情報を受け取った場合に、利用が禁止されたクレジットカードの番号と、当該クレジットカードが利用できないことを示す洗替情報とを対応付けて、洗替情報保持手段に格納する停止カード保持手段を更に備えてもよい。更に、停止カード保持手段は、利用加盟店とクレジットカードの利用契約を直接行ったクレジットカード発行会社であるアクワイアラが、利用加盟店に対して、他のクレジットカード発行会社が発行する他のクレジットカードの利用を許可している場合において、他のクレジットカード発行会社から他のクレジットカードの利用を禁止する旨の情報を受け取ると、利用が禁止された他のクレジットカードの番号を保持してもよい。
【０００９】
また、本発明の第２の形態においては、クレジットカードの利用加盟店から、クレジットカードが利用可能であるか否かを示す洗替情報の問い合わせを受け取るクレジットカード洗替代行方法であって、クレジットカードの番号と、当該クレジットカードが利用可能であるか否かを示す洗替情報とを対応付けて、当該情報を受け取ってから所定の期間のみ保持する洗替情報保持ステップと、利用加盟店が保有する端末装置からクレジットカードの洗替情報が要求された場合に、当該クレジットカードの洗替情報が既に洗替情報保持ステップに保持されているか否かを判断する洗替情報判断ステップと、洗替が要求されたクレジットカードの洗替情報が洗替情報保持ステップに保持されていない場合に、洗替情報を当該クレジットカードを発行したクレジットカード発行会社に対して要求し、得られた洗替情報を洗替情報保持ステップに格納する洗替要求ステップと、洗替が要求されたクレジットカードの洗替情報が洗替情報保持ステップに保持されていた場合に、クレジットカード発行会社に対する洗替情報の要求を留保して、洗替情報保持ステップに既に保持されていた洗替情報を端末装置に通知する洗替応答ステップとを備える。
【００１０】
また、端末装置が洗替を要求したクレジットカードの洗替情報が洗替情報保持ステップに保持されていない場合に、端末装置を識別する識別情報と、クレジットカードの番号とを対応付けて格納する問い合わせステップを更に備え、洗替要求ステップは、端末装置を識別する識別情報をクレジットカード発行会社に通知することなく、クレジットカードの洗替情報をクレジットカード発行会社に対して要求し、洗替応答ステップは、問い合わせステップに格納されているクレジットカードの洗替情報が得られると、当該洗替情報を、クレジットカードに対応づけて問い合わせステップに格納されている識別情報で識別される端末装置に通知してもよい。
【００１１】
更に、クレジットカード発行会社からクレジットカードの利用が禁止されている旨の情報を受け取った場合に、利用が禁止されたクレジットカードの番号と、当該クレジットカードが利用できないことを示す洗替情報とを対応付けて、洗替情報保持ステップに格納する停止カード保持ステップを更に備えてもよい。また、停止カード保持ステップは、利用加盟店とクレジットカードの利用契約を直接行ったクレジットカード発行会社であるアクワイアラが、利用加盟店に対して、他のクレジットカード発行会社が発行する他のクレジットカードの利用を許可している場合において、他のクレジットカード発行会社から他のクレジットカードの利用を禁止する旨の情報を受け取ると、利用が禁止された他のクレジットカードの番号を保持してもよい。
【００１２】
なお、上記の発明の概要は、本発明の必要な特徴の全てを列挙したものではなく、これらの特徴群のサブコンビネーションもまた、発明となりうる。
【発明の効果】
【００１３】
本発明によれば、洗替情報を集約して洗替処理をすることにより、迅速、かつ高いセキュリティを維持した洗替処理をすることができる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、本発明の一実施形態に係るクレジットカード洗替代行装置１００の概要を示す。加盟店２、加盟店４、及び加盟店６は、クレジットカードの有効性を示すデータである洗替情報を要求する旨の情報を、クレジットカードの番号に対応づけて、クレジットカード洗替代行装置１００へ送信する。なお、データ送信のフォーマットは、クレジットカード発行会社の違いにかかわらず、統一のデータフォーマットを用いてよい。
【００１６】
クレジットカード洗替代行装置１００は、各加盟店から受け取った洗替情報を要求する旨の情報と、クレジットカード番号とに基づいて、洗替情報がクレジットカード洗替代行装置１００に格納されているか否かを判断する。ここで、洗替情報とは、クレジットカードの利用をすることができるか否かを示す情報であってよい。例えば、クレジットカードの有効期限を示す情報等であってよい。そして、クレジットカード洗替代行装置１００は、洗替情報がクレジットカード洗替代行装置１００に格納されていない場合には、受け取ったクレジットカード番号と、洗替情報を要求する旨の情報とを、カード会社２１０、カード会社２１５、及びカード会社２２０へ送信する。
【００１７】
各カード会社は、受け取ったクレジットカード番号に対応する更新された洗替情報、及びクレジットカードの利用が禁止されている場合には、その旨を示す請求停止依頼情報等を、クレジットカード洗替代行装置１００へ送信する。続いて、クレジットカード洗替代行装置１００は、各カード会社から受け取った、更新された洗替情報と請求停止依頼情報等を基にして、更新された洗替情報を統一されたフォーマットデータとして作成する。そして、クレジットカード洗替代行装置１００は、各加盟店に、作成された洗替情報を送信する。
【００１８】
一方、クレジットカード洗替代行装置１００が洗替情報を格納していた場合には、クレジットカード会社に洗替情報の更新を要求せずに、クレジットカード洗替代行装置１００に格納されている洗替情報を、各端末装置１０に送信する。
【００１９】
本実施形態に係るクレジットカード洗替代行装置１００は、洗替情報を集約して洗替処理をすることにより、迅速、かつ高いセキュリティを維持した洗替処理をすることを目的とする。
【００２０】
図２は、本実施形態に係るクレジットカード洗替代行装置１００の機能構成の一例を示す。クレジットカード洗替代行装置１００は、洗替情報判断手段２０、洗替情報保持手段３０、洗替応答手段４０、問い合わせキュー５０、洗替要求手段６０、及び停止カード保持手段７０を備える。洗替情報保持手段３０は、洗替要求手段６０から更新された洗替情報を受け取り、保持する。
【００２１】
また、洗替情報保持手段３０は、停止カード保持手段７０から、クレジットカードが利用できない旨を示す、請求停止依頼情報等を受け取り、保持する。更に、洗替情報保持手段３０は、クレジットカード洗替代行装置１００と接続されていないクレジットカード発行会社のクレジットカードの番号に対応づけて、洗替情報を格納してもよい。
【００２２】
そして、洗替情報保持手段３０は、ユーザのクレジットカードの番号と、クレジットカードが利用することができるか否かを示す洗替情報とを対応づけて、洗替情報を受け取ってから予め定められた期間にわたって保持する。例えば、クレジットカードの有効期限の期間内において、洗替情報を保持してよい。洗替情報保持手段３０は、洗替応答手段４０に、洗替情報を供給する。また、洗替情報判断手段２０に、加盟店の端末装置１０から要求された洗替情報が保持されているか否かを示す情報を供給する。そして、洗替情報保持手段３０は、洗替情報を統一されたデータフォーマットとして作成して、保持してよい。
【００２３】
本実施形態に係るクレジットカード洗替代行装置１００によれば、統一されたデータフォーマットを用いて、洗替情報を処理できる。これにより、各加盟店は、カード会社ごとに洗替情報を作成する処理を省くことができる。また、各カード会社は、加盟店ごとに処理していた洗替処理を省くことができる。したがって、各加盟店、及び各カード会社の洗替情報授受の作業を軽減できる。
【００２４】
また、本実施形態に係るクレジットカード洗替代行装置１００によれば、更新された洗替情報を格納できる。これにより、アクワイアラが加盟店に対して更新された洗替情報の通知を要しないので、洗替処理負担の軽減が図ることができ、また、契約がないカード会社発行分についても洗替情報の更新ができる。
【００２５】
洗替情報判断手段２０は、利用加盟店が保有する端末装置１０から、クレジットカードの洗替情報を要求する旨の情報、及び端末装置１０を識別する識別情報とを受け取る。そして、洗替情報判断手段２０は、洗替情報が要求されたクレジットカードの洗替情報が、洗替情報保持手段３０に保持されているか否かを判断する。そして、クレジットカードの洗替情報が洗替情報保持手段３０に保持されていない場合には、洗替情報保持手段３０に洗替情報が保持されていない旨の情報を洗替情報保持手段３０より受け取り、当該情報を洗替要求手段６０へ供給する。
【００２６】
また、洗替情報が洗替情報保持手段３０に保持されていない場合には、洗替情報判断手段２０は、端末装置１０を識別する識別情報と、クレジットカードの番号とを、これらの情報を一時的に格納する問い合わせキュー５０へ供給してもよい。一方、洗替情報が洗替情報保持手段３０に保持されている場合には、洗替情報が保持されている旨の情報を、洗替情報保持手段３０を介して洗替応答手段４０へ供給する。
【００２７】
問い合わせキュー５０は、端末装置１０が洗替を要求したクレジットカードの洗替情報が洗替情報保持手段３０に保持されていない場合に、洗替情報判断手段２０から受け取った、端末装置１０を識別する識別情報とクレジットカードの番号とを対応づけて格納する。問い合わせキュー５０は、クレジットカード番号を洗替要求手段６０へ供給する。また、問い合わせキュー５０は、洗替要求手段６０がクレジットカード発行会社２００から受け取った更新された洗替情報を、洗替要求手段６０から受け取る。そして、問い合わせキュー５０は、受け取った更新された洗替情報を洗替応答手段４０へ供給する。
【００２８】
洗替要求手段６０は、洗替情報判断手段２０から受け取った、洗替が要求されたクレジットカードの洗替情報が洗替情報保持手段３０に保持されていない旨の情報に基づいて、洗替情報を当該クレジットカードを発行したクレジットカード発行会社２００に要求する。ここで、洗替要求手段６０は、端末装置１０を識別する識別情報をクレジットカード発行会社２００に通知することなく、洗替情報を要求する。
【００２９】
ここで、洗替要求手段６０は、クレジットカード発行会社２００に対して、洗替情報、クレジットカードが利用できない旨の情報、及び洗替情報の変更等の情報を入力するための、データ入力画面を提供してもよい。これにより、洗替情報の連絡が紙媒体からデジタルデータで送信でき、また、洗替情報の入力作業の負担を軽減できる。更には、緊急の情報更新、請求停止等の情報を入力して、クレジットカード洗替代行装置１００を介して各加盟店の端末装置１０に、当該情報を迅速に提供できる。
【００３０】
本実施形態に係るクレジットカード洗替代行装置１００によれば、各加盟店からの洗替情報を一時格納してクレジットカード発行会社２００に送信できる。これにより、クレジットカード発行会社２００が、複数の加盟店から洗替情報を別々に受け取ることがなくなるので、同一の会員情報を複数回更新する作業を削減できる。そして、洗替情報の通知までの応答速度が速くなるので、クレジットカード洗替代行装置１００とクレジットカード発行会社２００の負荷を減らすことができる。
【００３１】
また、本実施形態に係るクレジットカード洗替代行装置１００によれば、クレジットカードの番号に基づいて洗替情報を更新できる。これにより、利用加盟店の顧客数、顧客名等の情報が、クレジットカード発行会社２００に送信されないので、利用加盟店の機密情報に対するセキュリティを向上させることができる。更には、各利用者がいずれの加盟店を利用しているかを示す個人情報が、クレジットカード発行会社２００に送信されないので、個人情報に対するセキュリティを向上させることができる。
【００３２】
そして、クレジットカード発行会社２００は、洗替情報、及びクレジットカードの利用が禁止されている場合にはその旨を示す情報を洗替要求手段６０へ供給する。洗替要求手段６０は、受け取った洗替情報を洗替情報保持手段３０、及び問い合わせキュー５０へ供給する。また、洗替要求手段６０は、クレジットカード発行会社２００から受け取った請求停止依頼等の情報を、停止カード保持手段７０へ供給する。
【００３３】
洗替応答手段４０は、洗替情報が洗替情報保持手段３０に保持されている旨の情報を受け取った場合には、洗替情報保持手段３０から受け取った洗替情報を、加盟店の端末装置１０に通知する。一方、洗替情報が洗替情報保持手段３０に格納されていなかった場合には、洗替応答手段４０は、問い合わせキュー５０に格納されている、クレジットカード発行会社２００から洗替要求手段６０を介して供給された、クレジットカードの洗替情報を受け取る。また、クレジットカード発行会社２００によって洗替要求手段６０に供給された後に、洗替要求手段６０によって洗替情報保持手段３０に供給された、洗替情報を、洗替応答手段４０は受け取ってもよい。
【００３４】
そして、洗替応答手段４０は、問い合わせキュー５０に格納されているクレジットカードの洗替情報が得られると、当該洗替情報を、クレジットカードに対応づけて問い合わせキュー５０に格納されている識別情報で識別される加盟店の端末装置１０に通知する。
【００３５】
停止カード保持手段７０は、洗替要求手段６０から、クレジットカードの利用が禁止されている旨の情報を受け取る。また、利用加盟店とクレジットカードの利用契約を直接行ったクレジットカード発行会社２００であるアクワイアラが、利用加盟店に対して、他のクレジットカード発行会社２５０が発行する、他のクレジットカードの利用を許可している場合において、他のクレジットカード発行会社２５０から、他のクレジットカードの利用を禁止する旨の情報を受け取る。
【００３６】
そして、停止カード保持手段７０は、利用が禁止されたクレジットカードの番号と、クレジットカードが利用できないことを示す洗替情報とを対応付けた情報を洗替情報保持手段３０へ供給する。また、他のクレジットカード発行会社２５０から、他のクレジットカードの利用を禁止する旨の情報を受け取った場合には、他のクレジットカードの番号を、停止カード保持手段７０は保持する。
【００３７】
そして、洗替情報保持手段３０は、クレジットカードの利用が禁止されていることを示す洗替情報を、洗替応答手段４０に供給する。洗替応答手段４０は、クレジットカードの利用が禁止されていることを示す洗替情報を、加盟店の端末装置１０へ通知する。
【００３８】
本実施形態に係るクレジットカード洗替代行装置１００によれば、クレジットカードの利用が禁止された旨の情報は、クレジットカード洗替代行装置１００が備える停止カード保持手段７０、及び洗替情報保持手段３０に格納できる。これにより、クレジットカードの利用が禁止された旨を、アクワイアラに通知しないので、クレジットカード利用者の個人情報を、アクワイアラに対して保護できる。
【００３９】
図３は、洗替情報保持手段３０の一例を示す図である。洗替情報保持手段３０は、ユーザのクレジットカード番号と、クレジットカードが利用することができるか否かを示す洗替情報とを対応づけて、当該情報を受け取ってから予め定められた期間にわたって保持する。クレジットカード番号に対応づけて、クレジットカードの利用ができる場合には、クレジットカードの利用ができる旨の情報を格納する。例えば、クレジットカードの番号に、利用することができる旨を示すフラグを付加してよい。
【００４０】
一方、クレジットカード番号に対応づけて、クレジットカードの利用ができない場合には、クレジットカードの利用ができない旨の情報を格納する。例えば、クレジットカードの番号に、利用できない旨を示すフラグを付加してよい。また、クレジットカードの利用ができるか否かの情報は、クレジットカードの有効期限に対応づけて格納してもよい。クレジットカードの有効期限に対応づけて、クレジットカードの利用ができるか否かの情報を格納することにより、期限切れのクレジットカードについて、各加盟店の端末装置１０へ的確に洗替情報を提供できる。
【００４１】
図４は、問い合わせキュー５０の一例を示す図である。問い合わせキュー５０は、各加盟店の端末装置１０を一意に識別する識別情報と、加盟店の端末装置１０において利用されるユーザのクレジットカードの番号とを対応づけて格納する。端末装置１０を識別する識別情報は、例えば、ＩＰアドレスであってよい。そして、問い合わせキュー５０は、例えば、半導体記憶媒体等を用いた記憶装置であってよい。
【００４２】
図５は、クレジットカード洗替方法のフローの一例を示す。ユーザは、新規にクレジットカードを加盟店にて利用する場合に、利用申し込みをする（Ｓ３００）。利用申し込みは、書面、電話、及びインターネット等のネットワークを介して申し込んでよい。そして、加盟店は、クレジットカードの利用申し込みを受け付けると共に（Ｓ３０２）、クレジットカードの有効性をチェックする（Ｓ３０４）。クレジットカードの有効性を示す情報は、加盟店の端末装置１０からクレジットカード洗替代行装置１００へ供給される。クレジットカード洗替代行装置１００は、クレジットカード番号に基づいて、送信先を判定する（Ｓ３０６）。そして、クレジットカード洗替代行装置１００は、受け取った情報をクレジットカード発行会社２００に供給する。
【００４３】
クレジットカード発行会社２００は、クレジットカードの有効性を判定して（Ｓ３０８)、判定結果をクレジットカード洗替代行装置１００へ供給する。クレジットカード洗替代行装置１００は、受け取ったクレジットカードの有効性を示す情報を格納する（Ｓ３１０）。そして、クレジットカード洗替代行装置１００は、クレジットカードの有効性を示す情報を、加盟店の端末装置１０に供給する。
【００４４】
加盟店の端末装置１０は、クレジットカードの有効性結果を基に、クレジットカードの利用の承認、又は拒否をする（Ｓ３１２）。クレジットカードの利用が拒否された場合には、ユーザに連絡する（Ｓ３１４）。ユーザは、係る情報により、他のクレジットカードの利用、又は、クレジットカード以外の決済方法を選択できる。一方、クレジットカードの利用が承認された場合には、加盟店の端末装置１０は、端末装置１０が備える利用者データベースへ、当該クレジットカードの番号を登録する（Ｓ３１６）。
【００４５】
そして、加盟店の端末装置１０は、利用者データベースに格納されたクレジットカードの番号に基づいて、洗替情報を作成する（Ｓ３１８）。洗替情報は、統一のデータフォーマットにより作成してよい。作成された洗替情報は、クレジットカード洗替代行装置１００に供給される。クレジットカード洗替代行装置１００は、各加盟店の端末装置１０から受け取った洗替情報を集約する（Ｓ３２０）。そして、クレジットカード洗替代行装置１００は、洗替情報を作成して、格納する。なお、洗替情報は、各加盟店からの洗替情報を集約して、各カード会社の発行分に対応するクレジットカード情報を、統一のフォーマットに変換して作成してよい。
【００４６】
また、クレジットカード洗替代行装置１００は、クレジットカード洗替代行装置１００へ接続をしていないクレジットカード発行会社のカード情報を、センター不参加カード情報として保持していてもよい（Ｓ３２２）。
【００４７】
そして、クレジットカード洗替代行装置１００は、作成された洗替情報を、カード会社へ供給する。カード会社は、洗替情報を受け取る（Ｓ３２４）。続いて、カード会社は、受け取った洗替情報を基にして、洗替情報を更新する（Ｓ３２６）。そして、更新された洗替情報は、クレジットカード洗替代行装置１００へ供給される。また、クレジットカードの利用が停止されている場合、クレジットカードの有効期限等の情報が変更されている場合には、請求停止データ、変更依頼データをクレジットカード洗替代行装置１００に供給する（Ｓ３２８）。
【００４８】
クレジットカード洗替代行装置１００は、受け取った更新済みの洗替情報、請求停止データ、及び変更依頼データを基にして、更新された洗替情報を、格納されていた洗替情報に上書きする（Ｓ３３０）。そして、上書きされた洗替情報を、加盟店の端末装置１０へ供給する。加盟店の端末装置１０は、受け取った洗替情報を用いて、洗替情報を更新する（Ｓ３３２）。
【００４９】
そして、加盟店の端末装置１０は、クレジットカードの洗替情報が、クレジットカードの有効期限が切れている等のように、有効性が拒否された場合には（Ｓ３３４）、ユーザに連絡する（Ｓ３３６）。なお、ユーザが継続してクレジットカードを使用する場合には、上記Ｓ３１６から略同様のフローにて、ユーザは、洗替サービスを受けることができる。
【００５０】
図６は、クレジットカード洗替方法のフローの一例を示す。まず、加盟店の端末装置１０が、ユーザのクレジットカードから、クレジットカード番号を受け取る（Ｓ１０００）。続いて、加盟店の端末装置１０は、クレジットカード洗替代行装置１００に対して、クレジットカード番号、端末装置１０の識別情報、及び洗替情報を要求する旨の情報を供給して、洗替情報を要求する（Ｓ１０１０）。
【００５１】
クレジットカード洗替代行装置１００は、受け取ったクレジットカード番号に基づいて、当該クレジットカードに対応付けられた洗替情報が、洗替情報保持手段３０に保持されているか否かを確認する（Ｓ１０２０）。洗替情報が、洗替情報保持手段３０に保持されていた場合には（Ｓ１０２０：Ｙｅｓ）、クレジットカード洗替代行装置１００は、洗替情報を、加盟店の端末装置１０に洗替応答手段４０を介して送信する（Ｓ１０８０）。
【００５２】
洗替情報保持手段３０に洗替情報が保持されていない場合には（Ｓ１０２０：Ｎｏ）、洗替情報判断手段２０は、クレジットカード番号と、端末装置１０の識別情報とを問い合わせキュー５０へ供給する。問い合わせキュー５０は、クレジットカード番号に対応づけて、端末装置１０の識別情報を格納する（Ｓ１０３０）。そして、問い合わせキュー５０は、クレジットカード番号を洗替要求手段６０へ供給する。続いて、洗替要求手段６０は、受け取ったクレジットカード番号に対応する洗替情報を、クレジットカード発行会社２００へ要求する（Ｓ１０４０）。
【００５３】
クレジットカード発行会社２００は、要求されたクレジットカード番号に対応する、更新された洗替情報を、洗替要求手段６０へ供給する。そして、洗替要求手段６０は、更新された洗替情報を取得する（Ｓ１０５０）。ここで、クレジットカードの利用が禁止されている旨の洗替情報ではなかった場合には（Ｓ１０６０：Ｎｏ）、洗替要求手段６０は、更新された洗替情報を洗替情報保持手段３０に保持させると共に、洗替応答手段４０を介して加盟店の端末装置１０に送信する（Ｓ１０８０）。
【００５４】
一方、クレジットカードの利用が禁止されている旨の洗替情報であった場合には（Ｓ１０６０：Ｙｅｓ）、洗替要求手段６０は、その旨を示す情報を停止カード保持手段７０へ供給する。停止カード保持手段７０は、クレジット番号に対応づけて、当該クレジットカードが利用できない旨の情報を保持する。そして、クレジットカードが利用できない旨の情報を、洗替情報保持手段３０に供給する。洗替情報保持手段３０は、クレジットカード番号に対応づけて、当該クレジットカードが利用できない旨の情報を格納する（Ｓ１０７０）。
【００５５】
続いて、洗替情報保持手段３０は、クレジットカードが利用できない旨の情報を、クレジットカード番号に対応付けて、洗替応答手段４０へ供給する。そして、洗替応答手段４０は、加盟店の端末装置１０に、クレジットカードが利用できない旨の洗替情報を送信する（Ｓ１０８０）。
【００５６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５７】
【図１】クレジットカード洗替代行装置１００の概念図である。
【図２】クレジットカード洗替代行装置１００の機能構成を示すブロック図である。
【図３】洗替情報保持手段３０を示す図である。
【図４】問い合わせキュー５０を示す図である。
【図５】クレジットカード洗替方法のフローを示す。
【図６】クレジットカード洗替方法のフローを示す。
【符号の説明】
【００５８】
２、４、６  加盟店
１０  端末装置
２０  洗替情報判断手段
３０  洗替情報保持手段
４０  洗替応答手段
５０  問い合わせキュー
６０  洗替要求手段
７０  停止カード保持手段
１００  クレジットカード洗替代行装置
２００  クレジットカード発行会社
２１０、２１５、２２０  カード会社
２５０  他のクレジットカード発行会社
【図１】
2006293503.tif 000003
【図２】
2006293503.tif 000004
【図３】
2006293503.tif 000005
【図４】
2006293503.tif 000006
【図５】
2006293503.tif 000007
【図６】
2006293503.tif 000008